(57)【要約】【課題】電子機器において、撮影された写真や動画などの画像その他の表示可能なデジタルデータを整理して表示する。【解決手段】多機能携帯端末１は、表示可能な複数の撮影画像を取得し、取得した複数の撮影画像をそれぞれの撮影場所および撮影順によりグループ毎に分類し、グループ毎のページデータ２４を生成する。グループ毎のページデータ２４には、撮影順に並べられた撮影画像と、複数の画像の撮影場所を含む地図とが割り付けられる。【選択図】図３
2014075040.tif 000002
【特許請求の範囲】
【請求項１】
表示可能な複数のデジタルデータを取得する取得部と、
取得された前記複数のデジタルデータを、各デジタルデータに関連する場所および表示順に基づいて、グループ毎に分類する分類部と、
前記グループ毎に前記複数のデジタルデータを表示するページデータを生成する生成部と、
を有し、
前記生成部は、
前記グループ毎のページデータとして、該グループに分類されたデジタルデータを表示順に並べて表示し、該グループに分類されたデジタルデータに関連する場所を含む地図を表示する、ページデータを生成する、
ことを特徴とする電子機器。
【請求項２】
前記生成部により生成された前記ページデータに基づいて、前記複数のデジタルデータおよび地図を前記グループ毎に表示する表示部を有する、
ことを特徴とする請求項１記載の電子機器。
【請求項３】
前記複数のデジタルデータは、撮影された複数の撮像画像であり、
前記分類部は、
前記複数の撮像画像を、撮像場所および撮像順により、グループ毎に分類する、
ことを特徴とする請求項１または２記載の電子機器。
【請求項４】
前記分類部は、
前記ページデータに基づいて表示される地図が所定の縮尺以上になるように、前記複数の撮像画像を、撮像場所および撮像時刻が近い撮像画像毎にグループ化する、
ことを特徴とする請求項３記載の電子機器。
【請求項５】
前記分類部は、
撮像場所および撮像時刻によりグループ化されたグループを、各ページデータに含まれる撮像画像の枚数が所定枚数以下になるように、複数のグループに分ける、
ことを特徴とする請求項３または４記載の電子機器。
【請求項６】
表示可能な複数のデジタルデータを取得可能な電子機器の制御部による、ページデータの生成方法であって、
前記制御部は、
表示可能な複数のデジタルデータを取得する処理と、
取得された前記複数のデジタルデータを、各デジタルデータに関連する場所および表示順に基づいて、グループ毎に分類する処理と、
前記グループ毎に前記複数のデジタルデータを表示するページデータを生成する生成処理と、
を実行し、
前記生成処理では、
前記グループ毎のページデータとして、該グループに分類されたデジタルデータを前記表示順に並べて表示し、該グループに分類されたデジタルデータに関連する場所を含む地図を表示する、ページデータを生成する、
ことを特徴とするページデータの生成方法。
【請求項７】
請求項６に記載のページデータの生成方法の処理を、前記電子機器の前記制御部に実行させる、
ことを特徴とするプログラム。
【請求項８】
請求項６に記載のページデータの生成方法の処理を、前記電子機器の前記制御部に実行させる、
ことを特徴とするプログラムを記録したコンピュータ読取可能な記録媒体。
【請求項９】
クライアント端末とサーバ装置とが通信ネットワークにより通信可能に接続されたクライアントサーバシステムであって、
前記クライアント端末または前記サーバ装置に設けられた取得部が、表示可能な複数のデジタルデータを取得する機能と、
前記クライアント端末または前記サーバ装置に設けられた分類部が、取得された前記複数のデジタルデータを、各デジタルデータに関連する場所および表示順に基づいて、グループ毎に分類する機能と、
前記クライアント端末または前記サーバ装置に設けられた生成部が、前記グループ毎に前記複数のデジタルデータを表示するページデータを生成する機能と、
前記クライアント端末に設けられた表示部が、前記生成部により生成された前記ページデータに基づいて、前記複数のデジタルデータおよび地図を前記グループ毎に表示する機能と、
を有し、
前記生成部は、
前記グループ毎のページデータとして、該グループに分類されたデジタルデータを前記表示順に並べて表示し、該グループに分類されたデジタルデータに関連する場所を含む地図を表示する、ページデータを生成する、
ことを特徴とするクライアントサーバシステム。
【請求項１０】
請求項９に記載の前記クライアントサーバシステムの前記サーバ装置と前記通信ネットワークを通じて通信可能に接続されるクライアント端末であって、
前記サーバ装置と通信するクライアント通信部と、
前記表示部と、
前記クライアント通信部および前記表示部に接続されるクライアント制御部と、
を有し、
前記クライアント制御部は、
前記生成部により生成された前記ページデータに基づいて、前記表示部に、前記複数のデジタルデータおよび地図を前記グループ毎に表示させる、
ことを特徴とするクライアント端末。
【請求項１１】
請求項９に記載の前記クライアントサーバシステムの前記表示部を有する前記クライアント端末と前記通信ネットワークを通じて通信可能に接続されるサーバ装置であって、
前記クライアント端末と通信するサーバ通信部と、
前記サーバ通信部に接続されるサーバ制御部と、
を有し、
前記サーバ制御部は、
前記生成部により生成された前記ページデータに基づいて、前記クライアント端末の前記表示部に前記複数のデジタルデータおよび地図を前記グループ毎に表示させるために、前記サーバ通信部に前記クライアント端末と通信させる、
ことを特徴とするサーバ装置。
【発明の詳細な説明】
【技術分野】
【０００１】
本発明は、電子機器、ページデータの生成方法、プログラム、記録媒体、クライアントサーバシステム、クライアント端末、およびサーバ装置に関する。
【背景技術】
【０００２】
撮影場所を含む地図の周囲に、撮影した写真の画像を並べて表示できるシステムが提案されている（特許文献１）。
【先行技術文献】
【特許文献】
【０００３】
【特許文献１】特開２００８−１９７７３９号公報
【発明の概要】
【発明が解決しようとする課題】
【０００４】
しかしながら、特許文献１では、撮影場所を含む撮影地域の地図の周囲に、その地域で撮影された複数の写真のサムネイルを並べて表示するものである。特許文献１は、複数の写真を整理して表示するものではない。
たとえば、同一地域に時期を分けて複数回訪れて撮影した複数組の写真がある場合、これらの写真は混ぜこぜに並べて表示される。この場合、地図の回りに並べて表示された複数の写真の関係は、それぞれが別々に表示される場合と比べてかえって不明確になる。
ユーザは、地図の回りに並べて表示された写真を見ても、何時何処で撮像したかはっきりしない写真について、何時何処で撮像したものであるかを思い出すことは容易でない。
【０００５】
このように、電子機器では、撮影された写真や動画などの画像その他の表示可能なデジタルデータを整理して表示することが求められている。
同様に、クライアント端末とサーバ装置とが通信ネットワークにより通信可能に接続されたクライアントサーバシステムにおいても、表示可能なデジタルデータを整理して表示することが求められている。
【課題を解決するための手段】
【０００６】
請求項１に係る発明は、表示可能な複数のデジタルデータを取得する取得部と、取得された前記複数のデジタルデータを、各デジタルデータに関連する場所および表示順により、グループ毎に分類する分類部と、前記グループ毎に前記複数のデジタルデータを表示するページデータを生成する生成部と、を有し、前記生成部は、前記グループ毎のページデータとして、該グループに分類されたデジタルデータを前記表示順に並べて表示し、該グループに分類されたデジタルデータに関連する場所を含む地図を表示する、ページデータを生成する、ことを特徴とする電子機器である。
【０００７】
請求項６に係る発明は、表示可能な複数のデジタルデータを取得可能な電子機器の制御部による、ページデータの生成方法であって、前記制御部は、表示可能な複数のデジタルデータを取得する処理と、取得された前記複数のデジタルデータを、各デジタルデータに関連する場所および表示順により、グループ毎に分類する処理と、前記グループ毎に前記複数のデジタルデータを表示するページデータを生成する生成処理と、を実行し、前記生成処理では、前記グループ毎のページデータとして、該グループに分類されたデジタルデータを前記表示順に並べて表示し、該グループに分類されたデジタルデータに関連する場所を含む地図を表示する、ページデータを生成する、ことを特徴とするページデータの生成方法である。
【０００８】
請求項７に係る発明は、請求項６に記載のページデータの生成方法の処理を、前記電子機器の前記制御部に実行させる、ことを特徴とするプログラムである。
【０００９】
請求項８に係る発明は、請求項６に記載のページデータの生成方法の処理を、前記電子機器の前記制御部に実行させる、ことを特徴とするプログラムを記録したコンピュータ読取可能な記録媒体である。
【００１０】
請求項９に係る発明は、クライアント端末とサーバ装置とが通信ネットワークにより通信可能に接続されたクライアントサーバシステムであって、前記クライアント端末または前記サーバ装置に設けられた取得部が、表示可能な複数のデジタルデータを取得する機能と、前記クライアント端末または前記サーバ装置に設けられた分類部が、取得された前記複数のデジタルデータを、各デジタルデータに関連する場所および表示順により、グループ毎に分類する機能と、前記クライアント端末または前記サーバ装置に設けられた生成部が、前記グループ毎に前記複数のデジタルデータを表示するページデータを生成する機能と、前記クライアント端末に設けられた表示部が、前記生成部により生成された前記ページデータに基づいて、前記複数のデジタルデータおよび地図を前記グループ毎に表示する機能と、を有し、前記生成部は、前記グループ毎のページデータとして、該グループに分類されたデジタルデータを前記表示順に並べて表示し、該グループに分類されたデジタルデータに関連する場所を含む地図を表示する、ページデータを生成する、ことを特徴とするクライアントサーバシステムである。
【００１１】
請求項１０に係る発明は、請求項９に記載の前記クライアントサーバシステムの前記サーバ装置と前記通信ネットワークを通じて通信可能に接続されるクライアント端末であって、前記サーバ装置と通信するクライアント通信部と、前記表示部と、前記クライアント通信部および前記表示部に接続されるクライアント制御部と、を有し、前記クライアント制御部は、前記生成部により生成された前記ページデータに基づいて、前記表示部に、前記複数のデジタルデータおよび地図を前記グループ毎に表示させる、ことを特徴とするクライアント端末である。
【００１２】
請求項１１に係る発明は、請求項９に記載の前記クライアントサーバシステムの前記表示部を有する前記クライアント端末と前記通信ネットワークを通じて通信可能に接続されるサーバ装置であって、前記クライアント端末と通信するサーバ通信部と、前記サーバ通信部に接続されるサーバ制御部と、を有し、前記サーバ制御部は、前記生成部により生成された前記ページデータに基づいて、前記クライアント端末の前記表示部に前記複数のデジタルデータおよび地図を前記グループ毎に表示させるために、前記サーバ通信部に前記クライアント端末と通信させる、ことを特徴とするサーバ装置である。
【図面の簡単な説明】
【００１３】
【図１】本発明の第１実施形態に係る多機能携帯端末のハードウェアを示す概略構成図である。
【図２】図１のメモリデバイスに記憶される各種のデータを示す説明図である。
【図３】ページデータの生成処理を示すフローチャートである。
【図４】撮影された画像データを表示する画面の一例を示す図である。
【図５】撮影地域および複数の撮影場所を示す図である。
【図６】ページデータの表示画面の一例を示す図である。
【図７】第２実施形態に係るページデータの生成処理を示すフローチャートである。
【図８】第３実施形態に係るクライアントサーバシステムの概略構成図である。
【図９】図８のサーバ装置のハードウェアを示す概略構成図である。
【発明を実施するための形態】
【００１４】
以下、本発明の実施形態を、図面に基づいて説明する。
【００１５】
［第１実施形態］
図１は、本発明の第１実施形態に係る多機能携帯端末１のハードウェアを示す概略構成図である。
図１の多機能携帯端末１は、ＧＰＳ（Global Positioning System）受信部２、タイマ３、撮像デバイス４、メモリデバイス５、ディスプレイデバイス６、タッチパネルデバイス７、無線通信部８、ＣＰＵ（Central Processing Unit）９、ＲＡＭ（Random Access Memory）１０、およびこれらを接続するシステムバス１１を有する。
多機能携帯端末１は、撮像デバイス４を用いて画像を撮像する電子機器の一種である。また、多機能携帯端末１は、撮像した画像データ２３を蓄積して保存する。
【００１６】
ＧＰＳ受信部２は、ＧＰＳ衛星の電波を受信する。衛星からの電波には、たとえばＧＰＳ衛星の位置および時刻の情報が含まれる。ＧＰＳ受信部２は、複数のＧＰＳ衛星の位置および時刻から、ＧＰＳ受信部２の位置を示す座標値を演算し、ＣＰＵ９へ出力する。座標値には、たとえば緯度経度の値が使用できる。ＧＰＳ受信部２が演算した座標値は、多機能携帯端末１のたとえば現在位置として用いることができる。
【００１７】
タイマ３は、時刻、経過時間などを計測する。
タイマ３は、計測した時刻などを、ＣＰＵ９へ出力する。
【００１８】
撮像デバイス４は、ＣＣＤ（Charge Coupled Device）、ＣＭＯＳセンサ（Complementary Metal Oxide Semiconductor）などの撮像素子を有する。
撮像デバイス４は、撮像素子で撮像した映像の映像信号を、ＣＰＵ９へ出力する。映像信号には、静止画（写真）または動画の映像データが含まれる。
【００１９】
メモリデバイス５は、たとえばハードディスクデバイス、不揮発性メモリで構成される。
図２は、図１のメモリデバイス５に記憶される各種のデータを示す説明図である。
メモリデバイス５は、たとえば、映像の撮影から管理までに使用する各種のデータおよびプログラム２１、撮影した画像データ２３、を記憶する。
メモリデバイス５は、たとえば、地図データ２２、複数の画像データ２３、ページデータ２４、レイアウト制限データ２５を記憶する。図２には、順番に撮影された複数の画像データ２３として、第１画像データ２３Ａ、第２画像データ２３Ｂ、第３画像データ２３Ｃ、第４画像データ２３Ｄ、第５画像データ２３Ｅ、第６画像データ２３Ｆ、が図示されている。
【００２０】
地図データ２２は、たとえば、タッチパネルデバイス７に表示する地図の区域毎のテクスチャデータを有する。
テクスチャデータは、地図データ２２がカバーする地域を地図表示するためのデータである。テクスチャデータは、たとえば、カバー地域の各区域（メッシュ）の表示画像、各区域の位置（範囲）を示す座標値を含む。
地図データ２２は、通常、地図の縮尺が異なる複数組のテクスチャデータを有する。
【００２１】
画像データ２３は、撮像デバイス４により撮影された静止画を格納するデータである。
写真の画像データ２３には、たとえばＥＸＩＦ（EXchangeable Image File）フォーマットがある。
ＥＸＩＦフォーマットの画像データ２３には、たとえばＪＰＥＧ（Joint Photographic Experts Group）方式で圧縮された静止画のデータと、付加情報のデータとを記録できる。
付加情報には、撮影場所、撮影日時、撮像方向、撮影機種、撮影条件などの撮影情報を記録できる。
【００２２】
ページデータ２４は、メモリデバイス５に蓄積されている複数の画像データ２３を、ページ毎に整理して表示するためのデータである。
ページデータ２４は、複数の画像データ２３を、１ページに表示するためのレイアウトデータを含む。ページには、複数の写真の画像と、その複数の写真の撮影場所を含む撮像地域の地図とが割り付けられる。
ページデータ２４において、複数の写真の画像は、たとえば撮影順で時系列に並べられる。
なお、ページデータ２４は、たとえばＡ４等の用紙サイズのデータでよい。この他にもたとえば、多機能携帯端末１の表示画面でスクロール可能な表示サイズのデータでもよい。
【００２３】
レイアウト制限データ２５は、ページデータ２４を生成する場合のページレイアウトの制限情報を有するデータである。
ページレイアウトの制限情報としては、たとえば、ページに割付ける地図の縮尺制限がある。
多機能携帯端末１では、ディスプレイデバイス６の表示画面は、ページスクロール等が可能である。このため、この表示画面にページデータ２４を表示する場合、１ページに割り当てることができる画像の枚数には、物理的な制限はない。ただし、ページデータ２４に撮影地域の地図を割付ける場合、ページデータ２４に割付ける画像の枚数が増加すると、それに応じて撮像地域の地図の縮尺が大きくなる傾向にある。
そして、ページデータ２４に撮像地域の地図が割付けられたとしても、その地図の縮尺が大きい場合、ページデータ２４に割付けられた撮像地域の地図において撮影場所や被写体を特定し難くなる。
このため、ページデータ２４に割付ける地図の最大縮尺を制限するとよい。
なお、レイアウト制限データ２５に、画像の表示サイズの制限、１ページに割付ける画像の枚数の制限などを含めてもよい。
【００２４】
図１のディスプレイデバイス６は、たとえば液晶ディスプレイデバイスである。ディスプレイデバイス６は、表示部に表示画面を表示する。ディスプレイデバイス６は、ＣＰＵ９から入力される表示データに基づく表示画面を表示する。表示画面には、たとえば、撮像デバイス４による撮像時の撮像画面、画像データ２３の撮像写真を表示する画面、ページデータ２４を表示する画面がある。
【００２５】
タッチパネルデバイス７は、たとえば静電式または感圧式のタッチパネルデバイスである。タッチパネルデバイス７は、透明または半透明であり、ディスプレイデバイス６の表示部に重ねて配置される。タッチパネルデバイス７は、ユーザ操作があると、操作位置を示すデータを、ＣＰＵ９へ出力する。
タッチパネルデバイス７は、入力デバイスの一種である。多機能携帯端末１は、入力デバイスとして、たとえばキー入力デバイスを備えてもよい。
【００２６】
無線通信部８は、たとえば図示外の基地局と無線通信する。基地局と無線通信部８との無線通信には、たとえばＱＡＭ（Quadrature Amplitude Modulation）方式で符号化された無線通信データが用いられる。
無線通信部８は、ＣＰＵ９から入力されるデータを、ＱＡＭ方式で符号化し、基地局へ送信する。基地局は、無線通信部８から受信した符号化データを復号し、復号した通信データを、基地局が接続された通信ネットワークを通じて、図示外のサーバ装置へ送信する。
また、基地局は、無線通信部８へ送信される通信データを、通信ネットワークを通じてサーバ装置から受信し、ＱＡＭ方式で符号化し、無線通信部８へ送信する。無線通信部８は、基地局から受信した符号化データを復号し、復号したデータをＣＰＵ９へ出力する。
【００２７】
ＣＰＵ９は、マイクロコンピュータである。
ＲＡＭ１０は、プログラム２１およびデータを一時記憶する揮発性メモリである。
ＣＰＵ９は、図１のメモリデバイス５に記憶されるプログラム２１をＲＡＭ１０に読み込んで実行する。これにより、多機能携帯端末１には、図１に示すように、制御部３１が実現される。
なお、メモリデバイス５に記憶されるプログラム２１は、多機能携帯端末１の出荷前にメモリデバイス５に記録されたものでも、出荷後にメモリデバイス５に記録されたものでもよい。出荷後にメモリデバイス５に記録されるプログラム２１は、たとえばＣＤ−ＲＯＭ（Compact Disc - Read Only Memory）などのコンピュータ読取可能な記録媒体に記録されたものをインストールしたものでも、通信ネットワークなどを通じて図示外のサーバ装置からダウンロードしたものでもよい。
【００２８】
制御部３１は、多機能携帯端末１の制御部３１として機能し、多機能携帯端末１の撮像処理を含む全体的な動作を制御する。
制御部３１は、多機能携帯端末１に撮像機能および画像管理機能を実現するために、たとえば、撮像デバイス４により撮像した映像を画像データ２３としてメモリデバイス５へ保存する画像蓄積処理と、メモリデバイス５に保存されている画像データ２３の画像をディスプレイデバイス６に表示する画像再生処理と、メモリデバイス５に蓄積されている複数の画像データ２３の画像を整理して表示するためのページデータ２４を生成してメモリデバイス５へ保存する画像管理処理と、メモリデバイス５に保存されたページデータ２４により複数の画像データ２３の画像をディスプレイデバイス６に表示するページ再生処理と、を実行する。
【００２９】
次に、図１の多機能携帯端末１の動作について説明する。
画像蓄積処理では、制御部３１は、タッチパネルが操作されたタイミングで、撮像デバイス４により撮像された画像の画像データ２３を生成する。制御部３１は、ＧＰＳ受信部２から現在位置を取得し、タイマ３から時刻を取得する。制御部３１は、取得したデータに基づいて、これら撮影場所および撮影日時のデータおよびＪＰＥＧ方式の撮像画像のデータを含むＥＸＩＦ形式の画像データ２３を生成する。制御部３１は、生成した画像データ２３をメモリデバイス５に記憶させる。
画像再生処理では、制御部３１は、メモリデバイス５から画像データ２３を読み込む。制御部３１は、読み込んだ画像データ２３の画像から表示データを生成し、ディスプレイデバイス６に表示させる。
【００３０】
このように本実施形態の多機能携帯端末１では、撮像画像の画像データ２３を蓄積し、表示することができる。
ところで、多機能携帯端末１に写真などの画像を蓄積する場合、単に蓄積するのではなく、ユーザが後から各写真について何時何処で撮像したかを思い出せるように、写真の画像を整理して管理することが考えられる。
１つの画像の管理方法として、複数の写真の画像を撮影場所で関連付けて整理することが考えられる。
しかしながら、単に撮影場所に基づいて複数の写真を整理した場合、たとえば、同一撮影地域について複数の機会で撮影された複数組の写真が存在するとき、それらの撮影場所が重なったり近接したりする。その結果、異なる機会で撮影された複数組の写真が、１つにまとめて整理されてしまう。整理により写真同士の関係が不明確になる。
また、それらの写真の撮影場所を含む撮影地域の地図を表示させた場合、写真枚数の増加に応じて地図の縮尺が大きくなり、表示された地図において撮影場所や被写体を特定し難くなってしまう。
その結果、複数の写真の画像を単に撮影場所で関連付けて整理したとしても、ユーザは、どの写真がいつ何処で撮影したかを後から判別できない。ましてや、異なる機会で撮影された複数組の写真が混在して表示された場合、その表示に惑わされ、ユーザの思い出が混乱してしまう可能性もある。
このように単に撮影場所で関連付けて複数の写真を整理するだけでは、ユーザが何時何処で撮影したかを思い出せるようにならない。
【００３１】
そこで、本実施形態では、ユーザが何時何処で撮影したかを思い出せるように、複数の写真の画像を整理する。
これにより、たとえば、写真の枚数が増加したとしても、あるいは同一撮影地域において複数の機会で撮影した複数組の写真が存在したとしても、それぞれの写真について何時何処で撮影したかを思い出せるようになる。
【００３２】
図３は、ページデータ２４の生成処理を示すフローチャートである。
図３のページデータ２４の生成処理は、制御部３１により実行される。
制御部３１は、ユーザ操作に応じて図３のページデータ２４の生成処理を実行し、メモリデバイス５に蓄積されている複数の画像データ２３の画像を整理して表示するためのページデータ２４を生成する。
制御部３１は、たとえば多機能携帯端末１の電源オフに基づいて、または定期的に若しくは周期的に、図３のページデータ２４の生成処理を実行してもよい。
【００３３】
図４は、撮影された画像データ２３を表示する画面の一例を示す図である。
図４の表示画面は、メモリデバイス５に蓄積されている複数の画像データ２３の写真を表示する画面である。表示画面は、制御部３１により生成され、ディスプレイデバイス６に表示される。
図４の表示画面の上エリアには、ページデータ２４の生成処理を開始するための実行ボタン４１が表示されている。
表示画面の下エリアには、メモリデバイス５に蓄積されている複数の画像データ２３のサムネイル画像４４が左右に並べて表示される。複数のサムネイル画像４４は、たとえば撮影日時順に並べて表示される。
左切替ボタン４５または右切替ボタン４６を操作することで、表示するサムネイル画像４４を切り替えることができる。
表示画面の中央エリアには、地図画像４３が表示される。地図画像４３には、複数の画像データ２３の撮影場所Ｐ１〜Ｐ５が表示されている。
この図４の表示画面がディスプレイデバイス６に表示されている状態において、タッチパネルデバイス７は、実行ボタン４１に対するユーザ操作を示す操作データを制御部３１へ出力する。この入力に基づいて、制御部３１は、図３のページデータ２４の生成処理を開始する。
【００３４】
図３のページデータ２４の生成処理を開始すると、制御部３１は、まず、今回の処理対象とする複数の画像データ２３を選択する（ステップＳＴ１）。
制御部３１は、メモリデバイス５に蓄積されている複数の画像データ２３のうち、たとえば前回の処理後に撮像された複数の画像データ２３を選択する。前回の処理時刻は、メモリデバイス５に記憶させておけばよい。制御部３１は、各画像データ２３の撮影日時を前回の処理時刻と比較する。制御部３１は、撮影日時が前回の処理時刻以降である画像データ２３を抽出する。
【００３５】
複数の画像データ２３を選択した後、制御部３１は、選択した複数の画像データ２３を、撮影地域および撮影日時の近さに基づいて、グループ化する（ステップＳＴ２）。
【００３６】
具体的にはたとえば、制御部３１は、まず、撮影日時の近さに基づいて、取得した複数の画像データ２３を、時間帯毎のグループに分類する。
制御部３１は、取得した複数の画像データ２３を撮影日時順にソートする。
次に、制御部３１は、制御部３１は、ソートされた撮影日時リストにおいて連続する前後の撮影日時の差と所定期間と比較し、撮影間隔が所定期間以内で連続している複数の画像データ２３を時間帯毎のグループとして抽出する。所定期間は、たとえば３０分または１時間程度の期間でよい。または、１日などの期間でもよい。所定期間は、ユーザにより設定可能としてよい。所定期間は、メモリデバイス５に記憶させておけばよい。
そして、制御部３１は、撮影間隔が所定期間以下で連続している複数の画像データ２３毎に、時間帯毎のグループを生成する。また、制御部３１は、他の画像データ２３と撮影間隔が所定期間以下で連続していない画像データ２３についても、時間帯毎のグループを生成してよい。
【００３７】
時間帯毎のグループを生成した後、制御部３１は、生成した時間帯毎のグループを、撮影場所に基づいて更に細分化してグループ化する。
制御部３１は、時間帯毎にグループ化した複数の画像データ２３の画像群について、ページデータ２４の地図表示エリアにおいて複数の撮影場所を表示可能な撮像地域を特定する（ステップＳＴ３）。制御部３１は、ページデータ２４に割付ける複数の画像データ２３の撮影場所データを読み込み、その複数の撮影場所を含む撮像地域を特定する。
次に、制御部３１は、レイアウト制限データ２５から地図の最大縮尺を読み込み、撮像地域の地図の縮尺が、地図の縮尺制限を満たすか否かを判断する（ステップＳＴ４）。
撮像地域の地図の縮尺が地図の縮尺制限を満たさない場合、制御部３１は、選択した
画像群から、画像データ２３を削除する（ステップＳＴ５）。制御部３１は、後の撮影日時の画像データ２３から順番に、画像データ２３を削除する。
制御部３１は、撮像地域の地図の縮尺が地図の縮尺制限を満たすようになるまで、ステップＳＴ３からステップＳＴ５までの処理を繰り返す。
表示される撮像地域の地図が地図の縮尺制限を満たす場合、制御部３１は、取得した複数の画像データ２３についてのグルーブ化処理を終了する。取得した複数の画像データ２３は、撮影地域および撮影日時の近さに基づいてグループ化される。
また、制御部３１は、削除した画像データ２３について、新たなグループを生成する。制御部３１は、この削除した画像データ２３についてのグループについても、上述したステップＳＴ３からステップＳＴ５までの処理を繰り返し実行するとよい。制御部３１は、元のグループから削除される画像データ２３が無くなるまで、削除した画像データ２３についての新たなグループを生成し、上述したステップＳＴ３からステップＳＴ５までの処理を繰り返せばよい。
【００３８】
取得した複数の画像データ２３を、撮影地域および撮影日時に基づいて複数のグルーブに分類した後、制御部３１は、各グループの画像群を表示するページデータ２４を生成する（ステップＳＴ６）。
制御部３１は、各グループに属する複数の画像データ２３の画像を、ページデータ２４に割付ける。また、制御部３１は、複数の画像データ２３の撮影場所を含む撮像地域の地図を、地図データ２２から読み込み、ページデータ２４に割付ける。
ページデータ２４は、各々の画像のレイアウト位置および表示サイズを示す情報と、表示する地図へのリンク情報とで構成してもよい。
制御部３１は、生成したページデータ２４を、メモリデバイス５に保存する。
制御部３１は、上述した処理をすべてのグループについて繰り返し、ページデータ２４を生成する。
すべてのグループについてページデータ２４を生成し終えると、制御部３１は、図３のページデータの生成処理を終了する。
【００３９】
次に、具体例を説明する。
図５は、撮影地域および複数の撮影場所を示す図である。
図５の撮像地域には、第１画像データ２３Ａの撮影場所Ｐ１、第２画像データ２３Ｂの撮影場所Ｐ２、第３画像データ２３Ｃの撮影場所Ｐ３、第４画像データ２３Ｄの撮影場所Ｐ４、第５画像データ２３Ｅの撮影場所Ｐ５、第６画像データ２３Ｆの撮影場所Ｐ６が図示されている。
第１画像データ２３から第６画像データ２３は、その番号順で撮像されている。
【００４０】
この場合、制御部３１は、グループ化処理において、まず、第１画像データ２３Ａの撮影日時から第６画像データ２３Ｆの撮影日時までを、撮影順に並べた撮影日時リストを生成する。
そして、制御部３１は、その撮影日時リストから、所定期間以内で連続している第１画像データ２３Ａから第５画像データ２３Ｅまでを、第１グループとして選択する。また、残りの第６画像データ２３を、第２グループとして選択する。
【００４１】
複数の画像データ２３を時間帯毎のグループに分類した後、制御部３１は、時間帯毎のグループに属する画像群の撮像場所を表示する地図が所定の縮尺より小さくなるように、必要に応じて時間帯毎のグループを細分化する。仮に第１画像データ２３の撮影場所から第５画像データ２３の撮影場所までをページデータ２４に表示する地図の縮尺が所定の縮尺より大きい場合、制御部３１は、第５画像データ２３から順番に画像を削除する。また、削除した第５画像データ２３などを含む新たな第３グループを生成する。
このように複数の画像データ２３を撮影地域および撮影日時の近さに基づいてグループ化した後、制御部３１は、第１グループから第３グループまでのそれぞれのグループについてページデータ２４を生成する。
以上のページデータ２４の生成処理により、制御部３１は、第１グループに含まれる複数の画像および撮影地域の地図を含む第１のページデータ２４と、第２グループに含まれる複数の画像および撮影地域の地図を含む第２のページデータ２４と、第３グループに含まれる複数の画像および撮影地域の地図を含む第３のページデータ２４と、を生成する。
【００４２】
なお、制御部３１は、グループ毎のページデータ２４を生成した後、各ページデータ２４について調整処理を実行してよい。たとえば、制御部３１は、生成したページデータ２４をメモリデバイス５から読み込み、ページデータ２４のページを表示するデータを生成し、ディスプレイデバイス６に表示させる。ユーザは、ディスプレイデバイス６に表示されたページデータ２４により、ページデータ２４の適否を確認できる。
【００４３】
図６は、ページデータ２４の表示画面の一例を示す図である。
図６のページデータ２４の表示画面は、ディスプレイデバイス６の表示部に表示される。
表示画面は、図５の点線枠の第１グループに属する複数の画像データ２３を表示するものである。
表示画面の右側には、グループに属する第１画像データ２３Ａを表示する画像５１Ａから第５画像データ２３Ｅを表示する画像５１Ｅが、撮影日時順に縦に配列されている。第１画像データ２３Ａを表示する画像５１Ａの上に、コメントの表示欄５２がレイアウトされてよい。
表示画面の左側には、撮像地域の地図５３が表示されている。地図５３には、グループに属する第１画像データ２３Ａの撮影場所Ｐ１から第５画像データ２３Ｅの撮影場所Ｐ５までが表示される。
【００４４】
図６の地図５３の撮像地域は、図５の点線枠に対応する地域である。
仮に第１グループに第６画像データ２３Ｆが含まれる場合、撮像地域は、図６の全体範囲まで広くなる。この広い地域を、図６の撮像地域の表示エリアに表示させる場合、地図の縮尺を大きくする必要がある。
ページデータ２４の表示画面に表示される地図は、縮尺が大きくなると、地図中の構造物などが省略される。地図において、被写体などを具体的に確認できなくなる。
【００４５】
そして、ユーザは、ページデータ２４が表示されている状態で、タッチパネルデバイス７を操作する。制御部３１は、操作に応じて、表示されたページデータ２４を調整する。たとえば制御部３１は、ユーザ操作により削除選択された画像に対応するレイアウトデータを、ページデータ２４から削除する。
【００４６】
また、ユーザは、ページデータ２４が表示されている状態で、コメントを入力してよい。
制御部３１は、操作に応じて、表示されたページデータ２４にコメントを入力する。
制御部３１は、ユーザ操作により入力されたコメントを、ページデータ２４に追加する。コメントは、図５のコメントの表示欄５２に表示される。
【００４７】
ページデータ２４の調整処理が終了すると、制御部３１は、調整後のページデータ２４で、メモリデバイス５のページデータ２４を更新する。
【００４８】
以上のように、本実施形態では、多機能携帯端末１に蓄積された複数の写真の画像データ２３を撮影場所および撮影日時順に基づいてグループ化し、そのグループ毎にページデータ２４を生成する。
よって、たとえば同一撮影地域において異なる日時で撮影された複数の写真は、撮影場所が近接していても、異なるページデータ２４に分類して整理され、表示される。
ユーザは、自ら撮像した写真の画像データ２３をフォルダなどにより管理することなく、撮影場所および撮影日時に基づいてグループ化されたページを閲覧するだけで、どの写真をいつ撮影したのかを判別できる。各写真について、薄らいだ記憶を思い出すことができる。
【００４９】
しかも、ページデータ２４において、複数の写真の画像５１Ａ〜５１Ｅは撮影日時順に並べられる。また、ページデータ２４には、複数の写真の撮影場所Ｐ１〜Ｐ５を明示した撮像地域の地図５３が併せて表示される。各写真の画像は、ページデータ２４において、前後に撮影した他の写真および撮影場所の地図５３とともに一覧表示される。
ユーザは、他の写真などとの関連や撮影場所の表示に基づいて、忘れていた写真の撮影状況などを詳しく思い出すことができる。忘れていた思い出や、薄らいでいた思い出を、容易に詳しく思い出すことができる。
特に、ページデータ２４に表示される撮像地域の地図が所定の最大縮尺以下になるように、各ページデータ２４に割付ける画像データ２３を制限する。
ページデータ２４に表示される撮像地域の地図は、必ず最大縮尺以下になる。
ユーザは、縮尺が小さい撮像地域の地図において、画像データ２３の写真の撮影場所や被写体を詳細に特定できる。
【００５０】
なお、このようなページデータ２４は、無線通信部８を通じて、通信ネットワーク上のサーバ装置へアップロードできる。アップロードされたページデータ２４により、思い出を他人と共有できる。サーバ装置にアップロードされたページデータ２４は、更に他人の多機能携帯端末１などへ配信されてもよい。
これにより、公開コミュニティ、閉鎖コミュニティなどにおいて、撮像した画像の管理を共有できる。高機能で便利な画像管理が実現できる。
各自がフォルダなどで別々に分類して管理する場合のように、他人には理解不能な画像の管理状態に陥ることもない。
【００５１】
［第２実施形態］
次に、本発明の第２実施形態に係る多機能携帯端末１について説明する。
第２実施形態に係る多機能携帯端末１は、グループ化された複数の画像データ２３に基づくページデータ２４の生成処理が、第１実施形態のものと異なる。以下、第１実施形態との相違点について説明する。
【００５２】
図７は、第２実施形態における、ページデータ２４の生成処理を示すフローチャートである。
図７は、図３に替えて、制御部３１が実行するプログラムのフローチャートである。
【００５３】
ページデータ２４の生成処理において、制御部３１は、処理対象となる複数の画像データ２３を選択する（ステップＳＴ１）。
次に、制御部３１は、まず、選択した複数の画像データ２３を時間帯毎にグループ化する（ステップＳＴ２）。
次に、制御部３１は、時間帯毎のグループを、たとえば撮像場所および撮像時刻によりグループ化されたグループを、各ページデータ２４に含まれる撮像画像の枚数が所定枚数以下になるように、更に複数のグループに細分化する。
たとえば、制御部３１は、レイアウト制限データ２５を読み込む。制御部３１は、時間帯毎のグループに含まれる画像データ２３の個数（画像数）と、１ページに割付けることができる画像の最大枚数と比較する（ステップＳＴ１１）。
画像データ２３の個数が最大枚数を超えている場合、制御部３１は、該グループを最大枚数毎の複数のグループに細分化する（ステップＳＴ１２）。グループ内の画像データ２３は、カウント値を最大枚数で割った商に１を加えた数のグループに再分類される。複数の画像データ２３は、最大枚数またはそれ以下の枚数で複数のグループに分類される。
次に、制御部３１は、時間帯毎および最大枚数毎に分類されたグループを、撮影場所に基づいて更に細分化してグループ化する。制御部３１は、各グループの複数の画像データ２３の撮影場所を表示可能な撮像地域を特定し（ステップＳＴ３）、その撮像地域の地図の縮尺が縮尺制限を満たすか否かを判断する（ステップＳＴ４）。撮像地域の地図の縮尺が地図の縮尺制限を満たさない場合、制御部３１は、該グループの複数の画像データ２３を複数のグループに再分類する（ステップＳＴ５）。
制御部３１は、撮像地域の地図の縮尺が地図の縮尺制限を満たすようになるまで、ステップＳＴ３からステップＳＴ５までの処理を繰り返す。
以上の処理により、制御部３１は、時間帯毎、最大枚数毎および撮影地域毎に分類された複数のグループを生成する。
制御部３１は、各グループについて、各グループの複数の画像データ２３の画像と撮像地域の地図とを表示するページデータ２４を生成する。
【００５４】
以上のように、本実施形態では、複数の画像データ２３を撮影場所、撮影順および最大枚数に基づいてグループ化し、そのグループ毎にページデータ２４を生成する（ステップＳＴ６）。１ページに表示される画像の個数を、所望のレイアウトを満たす個数に制限できる。
これに対し、単に撮影場所および撮影順に基づいてグループ化した場合には、たとえば一か所での撮影枚数が膨大である場合に、そのすべての画像を表示するページデータ２４が生成される。ページデータ２４を用紙などに印刷して表示させる場合に、適切に印刷されない事態などが発生しないようにできる。
【００５５】
［第３実施形態］
図８は、本発明の第３実施形態に係るクライアントサーバシステム６１の概略構成図である。
図８のクライアントサーバシステム６１は、クライアント端末６２、サーバ装置６３、およびこれらを通信可能に接続する通信ネットワーク６４を有する。
そして、クライアント端末６２は、写真を撮像する。サーバ装置６３は、クライアント端末６２により撮像された写真の画像データ２３を、クライアント端末６２から受信して蓄積する。
また、サーバ装置６３は、蓄積した複数の画像データ２３の画像を整理して表示するためのページデータ２４を生成して保存する。クライアント端末６２は、サーバ装置６３からページデータ２４を受信し、表示する。
以下、主に、第１実施形態との相違点について説明する。
【００５６】
通信ネットワーク６４は、たとえばインターネット、電話回線網で構成される。通信ネットワーク６４は、多機能携帯端末１と無線通信する基地局６５を有する。
【００５７】
クライアント端末６２は、たとえばスマートフォン、携帯電話機などの携帯端末である。
クライアント端末６２のハードウェア構成は、たとえば図１の多機能携帯端末１のものと同様でよい。クライアント端末６２の各部の構成には、図１と同一の符号を使用し、図示および説明を省略する。
【００５８】
クライアント端末６２の無線通信部８は、基地局６５と通信回線を確立する。
無線通信部８は、この通信回線を用いて、サーバ装置６３から各種の通信データを受信する。無線通信部８は、受信した通信データをＣＰＵ９へ出力する。
無線通信部８は、通信回線を用いて、ＣＰＵ９から入力されるリクエストなどの通信データを基地局６５へ送信する。基地局６５へ送信された通信データは、通信ネットワーク６４を通じてサーバ装置６３へ送信される。
【００５９】
クライアント端末６２のＣＰＵ９は、メモリデバイス５に記憶されたプログラム２１をＲＡＭ１０に読み込んで実行する。これにより、クライアント端末６２のクライアント制御部７１が実現される。
クライアント制御部７１は、撮像デバイス４により撮像した映像を画像データ２３としてサーバ装置６３へ送信する処理と、サーバ装置６３から画像データ２３またはページデータ２４を受信してディスプレイデバイス６に表示するページ再生処理と、を実行する。
【００６０】
図９は、図８のサーバ装置６３のハードウェアを示す概略構成図である。
図９のサーバ装置６３は、サーバ通信部８１、サーバディスクデバイス８２、サーバＣＰＵ８３、サーバＲＡＭ８４、およびこれらを接続するサーバシステムバス８５を有する。
これらのサーバ装置６３の各部は、図１のクライアント端末６２の対応する名称のものと同じ機能を有するため、詳しい説明を省略する。
【００６１】
サーバディスクデバイス８２は、画像を管理するために、図２と同様にたとえば、地図データ２２、複数の画像データ２３、ページデータ２４、レイアウト制限データ２５を記憶する。
サーバディスクデバイス８２は、図示されていない他のクライアント端末６２により撮像された画像データおよびページデータを併せて記憶してよい。
【００６２】
サーバＣＰＵ８３は、サーバディスクデバイス８２に記憶されるサーバプログラム８６をサーバＲＡＭ８４に読み込んで実行する。これにより、サーバ装置６３に、サーバ制御部８７が実現される。
サーバ制御部８７は、クライアントサーバシステム６１の全体を制御する制御部３１として機能する。
サーバ制御部８７は、クライアント端末６２から撮像した写真の画像データ２３を受信してサーバディスクデバイス８２へ保存する画像蓄積処理と、サーバディスクデバイス８２に蓄積した画像データ２３をクライアント端末６２へ送信する処理と、サーバディスクデバイス８２に蓄積されている複数の画像データ２３の画像を整理して表示するためのページデータ２４を生成してサーバディスクデバイス８２へ保存する画像管理処理と、サーバディスクデバイス８２に保存されたページデータ２４をクライアント端末６２へ送信する処理と、を実行する。
【００６３】
以下、クライアント端末６２で撮像した画像についてサーバ装置６３においてページデータ２４を生成する処理について説明する。
クライアント端末６２のクライアント制御部７１は、撮像デバイス４で撮像した写真の画像データ２３をサーバ装置６３へ送信する。サーバ装置６３のサーバ通信部８１が画像データ２３を受信すると、サーバ制御部８７は、受信した画像データ２３をサーバディスクデバイス８２へ保存する。これにより、サーバディスクデバイス８２に、クライアント端末６２で撮像した複数の画像データ２３が蓄積される。
【００６４】
サーバ制御部８７は、たとえば周期的に、蓄積した複数の画像データ２３について、それを整理して表示するためのページデータ２４を生成する。
ページデータ２４の生成処理において、サーバ制御部８７は、まず、たとえば前回処理後に蓄積した複数の画像データ２３を選択する。サーバ制御部８７は、クライアント端末６２毎に、複数の画像データ２３を選択する。
複数の画像データ２３を選択した後、サーバ制御部８７は、選択した複数の画像データ２３を、撮影地域および撮影日時の近さに基づいて、グループ化する。サーバ制御部８７は、たとえば、複数の画像データ２３の撮影日時を撮像日時順にソートして撮影順に基づいてグループ化した後、さらにそれを撮影地域毎に再分類する。
複数の画像データ２３をグループ化した後、サーバ制御部８７は、グループ毎のページデータ２４を生成する。サーバ制御部８７は、各グループのページデータ２４に、該グループの複数の画像データ２３の映像と、複数の撮影場所を含む撮像範囲の地図とを、割付ける。サーバ制御部８７は、生成したグループ毎のページデータ２４を、サーバディスクデバイス８２に保存する。
【００６５】
クライアント端末６２のクライアント制御部７１は、サーバ装置６３へページデータ２４のリクエストを送信する。クライアント制御部７１は、たとえばタッチパネルデバイス７の操作位置データに基づいて、ページデータ２４のリクエストを生成し、無線通信部８に送信させる。
サーバ装置６３は、サーバ通信部８１によりページデータ２４のリクエストを受信する。サーバ制御部８７は、リクエストに係るページデータ２４をサーバディスクデバイス８２から読み込み、サーバ通信部８１に送信させる。ページデータ２４は、通信ネットワーク６４および基地局６５を通じて、クライアント端末６２の無線通信部８により受信される。
クライアント制御部７１は、受信されたページデータ２４に基づく表示データを生成し、ディスプレイデバイス６に表示させる。クライアント制御部７１は、ページデータ２４にレイアウトして表示される複数の画像データ２３の表示画像、および撮像領域の地図のデータをサーバ装置６３から受信し、ページデータ２４に割付ける。
【００６６】
以上のように、本実施形態では、クライアント端末６２により撮像された複数の写真の画像データ２３は、サーバ装置６３に蓄積され、サーバ装置６３において撮影地域毎および撮影日時毎のページデータ２４が生成される。クライアント端末６２は、サーバ装置６３で生成されたページデータ２４を必要に応じて受信して表示できる。
よって、たとえば同一撮影地域において異なる日時で撮影された複数の写真は、撮影場所が近接していても、異なるページデータ２４に分類して整理され、表示される。しかも、複数の写真は、ページデータ２４において撮影順に並べられる。また、ページデータ２４には、複数の写真の撮影場所を表示する地図が表示される。
ユーザは、ページデータ２４を閲覧することにより、各写真を何時何処で撮影したかを判別し、忘れていた写真について思い出すことができる。また、ユーザは、このような効果を得るために、撮像した写真の画像データ２３を自らフォルダなどにより管理する必要もない。
また、ページデータ２４は、サーバ装置６３に保存されているため、他のクライアント端末６２もこのページデータ２４を受信して表示することができる。サーバ装置６３に蓄積されたページデータ２４により、思い出を他人と共有できる。撮像した画像の管理を共有できる。高機能で便利な画像管理が実現できる。
各自がフォルダなどで別々に分類して管理する場合のように、他人には理解不能な画像の管理状態に陥ることもない。
【００６７】
なお、第３実施形態において、クライアントサーバシステム６１のサーバ装置６３は、第１実施形態の多機能携帯端末１と同様の画像管理処理を実施している。
この他にもたとえばサーバ装置６３は、第２実施形態の画像管理処理を実施してもよい。
【００６８】
第３実施形態において、サーバ装置６３は、多機能携帯端末１により撮影された画像データ２３を蓄積保存し、それを整理して表示するためのページデータ２４を生成し、多機能携帯端末１は、サーバ装置６３で生成されたページデータ２４を表示するユーザインタフェースとして機能している。
この他にもたとえば、サーバ装置６３は、多機能携帯端末１に蓄積保存された画像データ２３を受信し、これを整理して表示するためのページデータ２４を生成してもよい。逆に、多機能携帯端末１は、サーバ装置６３に蓄積保存された画像データ２３を受信し、これを整理して表示するためのページデータ２４を生成してもよい。
さらに他にもたとえば、サーバ装置６３は、複数のデジタルデータからそれを表示するページデータ２４を生成するまでの一連の処理（機能）の一部を実行し、クライアント端末６２は、残りの処理（機能）を実行してもよい。一連の処理（機能）は、サーバ装置６３とクライアントとしての多機能携帯端末１との間で振り分けることができる。
【００６９】
第３実施形態において、サーバ装置６３は、単一のコンピュータ装置である。
この他にもたとえば、サーバ装置６３は、複数台のコンピュータ装置で構成されてもよい。
【００７０】
以上の実施形態は、本発明の好適な実施形態の例であるが、本発明は、これに限定されるものではなく、発明の要旨を逸脱しない範囲において種々の変形または変更が可能である。
【００７１】
たとえば上記実施形態では、多機能携帯端末１またはクライアントサーバシステム６１で管理される複数の画像データ２３は、クライアント端末６２で撮影された写真の画像データ２３である。
この他にもたとえば、画像管理の対象となる画像は、ユーザが撮影した動画の画像データ２３でもよい。また、写真や動画は、他人が撮影したものでもよい。写真や動画の替わりに、建造物などを模写した絵、グラフィックなどの画像などでもよい。
これらの画像を管理対象の複数の画像とすることで、ページデータの生成により、たとえば観光や撮影についてのガイドブックのページデータを容易に生成できる。旅のしおりなどを簡単に作成できる。
【００７２】
上記実施形態において、撮影場所、撮影日時などの付加情報は、画像とともに画像データ２３に設けられている。
この他にもたとえば、付加情報は、画像データ２３とは別のデータとして管理蓄積されてもよい。
【００７３】
上記実施形態では、多機能携帯端末１で撮像した複数の画像を、撮影場所および撮影日時が近いもの毎のグループに分類し、グループ毎のページデータ２４を生成している。
この他にもたとえば、取引先の名刺のデータ、ルート営業のデータ、顧客データ、日記などのテキストデータなどを、各デジタルデータに関連する場所および表示順によりグループに分類し、グループ毎のページデータを生成してもよい。
【００７４】
上記実施形態では、複数の画像データ２３をグループ毎に分類する際に、多機能携帯端末１で撮像した複数の画像に付加された撮影場所および撮影日時を用いている。
この他にもたとえば、各デジタルデータに対して、それぞれに関連する場所および表示順の少なくとも一方を手動操作で関連付け、この関連付けられた場所または表示順を用いて複数の画像データ２３をグループ毎に分類してよい。
たとえば、撮影順などで順番に並べられた複数のデジタルデータの画像を、手動操作により地図上にプロットすることにより、各デジタルデータに対して場所を関連付けることができる。
また、撮影場所などで地図上に分布配置された複数のデジタルデータに対し、手動操作により撮影順などの順番を設定することにより、各デジタルデータに対して撮影順などの順番を関連付けることができる。
【符号の説明】
【００７５】
１  多機能携帯端末（電子機器）
８  無線通信部（クライアント通信部）
６  ディスプレイデバイス（表示部）
２３  画像データ
２４  ページデータ
２５  レイアウト制限データ
３１  制御部（取得部、分類部、生成部）
６１  クライアントサーバシステム
６２  クライアント端末
６３  サーバ装置
６４  通信ネットワーク
７１  クライアント制御部
８１  サーバ通信部
８７  サーバ制御部
Ｐ１〜Ｐ６  撮影場所
【図１】
2014075040.tif 000003
【図２】
2014075040.tif 000004
【図３】
2014075040.tif 000005
【図４】
2014075040.tif 000006
【図５】
2014075040.tif 000007
【図６】
2014075040.tif 000008
【図７】
2014075040.tif 000009
【図８】
2014075040.tif 000010
【図９】
2014075040.tif 000011